(57)【要約】【課題】住宅の排水管につき、品確法の指定住宅性能評価機関が公表する優良住宅部品認定基準等を満たした高品質、メンテナンス良好な直管用偏心アダプタを提供する。【解決手段】上面に円形の開口部を備えた本体と、前記開口部の中心軸から偏心して本体の下部に一体に設けられた建物側排水口又は直管上端との接続部と、前記開口部に回転可能に取付けられる回転部と、該回転板にその中心軸から偏心して一体に設けられた直管下端又は器具側排水口との接続部とからなる。従って、器具側排水口と建物側排水口の口軸にずれがあっても、これを吸収し、両者を直管により接続することができる。また、本体は底面を下向きに傾斜させてなり、接続部の位置決め後、回転部は本体開口部に接着する。【選択図】　　　　図１
2004011093.tif 000002
【特許請求の範囲】
【請求項１】
内部に通水空間を有する本体の下部に中心軸から偏心して建物側排水口又は直管上端との接続部を設けると共に、上記本体の上部に前記中心軸を回転軸として直管下端又は器具側排水口との接続部を回転可能に設けたことを特徴とする直管用偏心アダプタ。
【請求項２】
内部に通水空間を有し、上面に円形の開口部を備えた本体と、前記開口部の中心軸から偏心して本体の下部に一体に設けられた建物側排水口又は直管上端との接続部と、前記開口部に回転可能に取付けられる回転部と、該回転板にその中心軸から偏心して一体に設けられた直管下端又は器具側排水口との接続部とからなることを特徴とした直管用偏心アダプタ。
【請求項３】
本体は底面を下向きに傾斜させてなる請求項２記載の直管用偏心アダプタ。
【請求項４】
接続部の位置決め後、回転部は本体開口部に接着により固定される請求項２又は３記載の直管用偏心アダプタ。
【発明の詳細な説明】
【０００１】
【発明の属する技術分野】
この発明は、流し台等の器具側排水口と建物側排水口の口軸にずれが生じている場合に、両者排水口を直管により接続するときに用いる偏心アダプタに関する。
【０００２】
【従来の技術】
「住宅の品質確保の促進等に関する法律」（いわゆる品確法）の施行に伴い、その指定住宅性能評価機関が公表する優良住宅部品認定基準によれば、流し台や洗面台に関して、維持管理、部品交換の容易性の確保という観点より、器具排水管は原則として直管とすべき旨が定められている。つまり、同基準によれば、器具排水管には耐食性、耐薬品性、耐熱性のほか、内面が平滑であることを要求している。
【０００３】
【発明が解決しようとする課題】
しかしながら、流し台等の器具側排水口と建物側排水口の口軸がずれている場合は両者排水口を直管で接続することはできない。このよう場合、従来はジャバラ管を用いていたが、これでは上述した基準、特に内面平滑性が満たされない。一方、図７に示したように、上下二分割の自在型排水管もあり、これであれば器具側排水口と建物側排水口の口軸にずれが生じている場合でも適用することができるが、特殊な成型が必要で、しかもコスト高である。
【０００４】
本発明は、こうした課題を解決するもので、その目的は、直管を器具排水管として使用するときに用いる偏心アダプタを提供することである。
【０００５】
【課題を解決するための手段】
上述した目的を達成するために本発明では、内部に通水空間を有する本体の下部に中心軸から偏心して建物側排水口又は直管上端との接続部を設けると共に、上部に前記中心軸を回転軸として直管下端又は器具側排水口との接続部を回転可能に設けるという手段を用いた。より具体的には、内部に通水空間を有し、上面に円形の開口部を備えた本体と、前記開口部の中心軸から偏心して本体の下部に一体に設けられた建物側排水口又は直管上端との接続部と、前記開口部に回転可能に取付けられる回転部と、該回転板にその中心軸から偏心して一体に設けられた直管下端又は器具側排水口との接続部とから直管用偏心アダプタを構成した（請求項２）。
【０００６】
また、請求項２では、本体は底面を下向きに傾斜させるという手段を用いた。
【０００７】
さらに、請求項３では、接続部の位置決め後、回転部は本体開口部に接着により固定するという手段を用いた。
【０００８】
【発明の実施の形態】
以下、添付した図面に従って本発明の最良な実施の形態を説明する。図１は、本発明アダプタの分解斜視図である。同図中、１は上面に円形の開口部１ａを備えた本体、２は本体１の下部に一体に設けられた円筒状の下端接続部、３は本体１の開口部１ａに取付けられる円盤状の回転部、４は該回転部３に一体に設けられた円筒状の上端接続部である。
【０００９】
各部材の構造を図２に従ってさらに詳述する。本体１は、開口部１ａの中心軸から偏心させたホッパ状の胴部１ｂが形成され、その排出部１ｃに下端接続部２が取付けられている。この実施形態の場合、下端接続部２は雌ネジ２ａを形成してなる袋ナットから構成されている。一方、回転部３は、本体１の開口部１ａに回転可能にはめ込まれるリブ３ａを有する。また、中心軸から偏心する通孔３ｂが上下貫通して設けられ、該通孔３ｂと同軸となるように上端接続部４が上方に突出して一体成型されている。３ｃはＯリングである。なお、上端接続部４は雄ネジ４ａが刻設されている。
【００１０】
図３は、本アダプタの施工例を示したものである。同図中、５は流し台のシンク、６は排水トラップ、７は器具排水管である。器具排水管７は直管である。８は、床下に配管された建物側排水管であり、その立ち上がり管８ａは器具排水管７と口軸がずれている。９は床であり、アダプタを介して立ち上がり管８ａと器具排水管７の接続が完了すれば、その作業口９ａは蓋板１０によって閉塞される。
【００１１】
即ち、本アダプタは、下端接続部２と立ち上がり管８ａとの接続作業において、本体１の開口部１ａが排出口１ｃの中心軸を回転軸として３６０度の範囲で位置決めでき（図４の仮想線参照）、且つ、この位置決めされた開口部１ａの中心軸を回転軸として上端接続部４を３６０度の範囲で位置決めできる（図５の仮想線参照）。よって、本アダプタによれば、開口部１ａの回転範囲と上端接続部４の回転範囲を組み合わせた範囲で、立ち上がり管８ａと器具排水管７の口軸のずれを吸収することができる。
【００１２】
そして、上記要領で開口部１ａ及び上端接続部４の位置決めが完了したなら、上端接続部４の雄ネジ４ａに器具排水管７の下端側ナット７ａを取付ける。下端接続部２は開口部１ａの位置決め時に立ち上がり管８ａに螺合しておくことはもちろんである。最後に、本アダプタによる接続作業が完了すれば、回転部３と本体１の開口部１ａを接着剤により固定する。不用意な回転によって事後的な接続不良が生じないようにするためである。
【００１３】
続いて、施工後における本アダプタの機能について説明すると、器具排水管７として直管が利用できるだけでなく、本アダプタ自体、内面平滑性を有し、且つ、耐食性等を有する素材によって成型されるから、品質に優れる。また、アダプタの取り外しも容易であるから、メンテナンスあるいは部品交換も容易である。さらに、成型も容易であって、コスト的にも有利である。さらに、本体１はホッパ状の胴部１ｂを形成しているので、流路抵抗が小さい。ここで本体１は、異物を滞留させないように縦幅（高さ）を短く設定することが好ましい。ただし、余り短く設定しすぎると流路抵抗が増加し、逆流のおそれがあるため、適当な幅に設定する。
【００１４】
なお、上記実施形態ではホッパ型の本体１を採用したが、本体１の形状はこれに限らず、立方体、直方体、球状体、その他の立体的形状であってもよい。また、回転部３の形状も、上記実施形態のように平板状に限らず、立体的形状としてもよい。即ち、図６に示したように本体１と回転部３を共に半球状とすることもできる。本発明において必要なことは、内部に通水空間を有し、下端接続部を中心軸から偏心して設けると共に、前記中心軸から偏心して設けた上端接続部を回転可能に設けることである。さらに、上記実施形態では、本体１の上面に開口部１ａを設け、これに回転部３を設けたが、本体１の下面を開口し、これに下端接続部を一体成型した回転部をはめ込むようにしてもよい。この場合、回転部が自重によって落下しないように密に嵌入するなどの構成を採用する。ただし、該回転部の回転を許容することはもちろんである。
【００１５】
【発明の効果】
以上説明したように、本発明によれば、器具側排水口と建物側排水口の口軸にずれが生じている場合でも、両者排水口を直管により接続できるから、優良住宅部品認定基準等の品質基準を満足する。また、ナットの締め込みで取り付けできるから施工性も良好である。さらに、比較的簡易な構成であるから、従来のプラスチック成型を適用することによって成型も容易であり、コスト面でも有利である。
【図面の簡単な説明】
【図１】本アダプタの分解斜視図
【図２】本アダプタの縦断面図
【図３】本アダプタの施工例を示した説明図
【図４】開口部の回転軌跡を示した説明図
【図５】上端接続部の回転軌跡を示した説明図
【図６】本発明の他の実施形態を示した説明図
【図７】従来の自在型排水管を示した説明図
【符号の説明】
１　本体
１ａ　開口部
２　下端接続部
３　回転部
４　上端接続部
【図１】
2004011093.tif 000003
【図２】
2004011093.tif 000004
【図３】
2004011093.tif 000005
【図４】
2004011093.tif 000006
【図５】
2004011093.tif 000007
【図６】
2004011093.tif 000008
【図７】
2004011093.tif 000009